(57)【要約】【課題】球払出動作中の球抜動作を禁止して品質信頼性の向上を図る。【解決手段】スプロケット１５が矢印Ｘ１方向に球払出駆動するのに伴い、タンク３からの球が通路１２から通路１３を経由して受皿６に払い出される。選択手段２２はステップ１０１がＹＥＳの場合、または、ステップ１０１がＮＯで、ステップ１０２がＮＯである場合には球抜スイッチ２０からのオン信号を受け付けない処理を実行するので、球払出動作中に、人が球抜スイッチ２０をオン動作しても、球抜動作はしない。ステップ１０１がＮＯで、ステップ１０２がＹＥＳである場合にはステップ１０３において球抜動作を開始し、スプロケット１５がアクチュエータ１６で矢印Ｘ２方向に球抜駆動するのに伴い、タンク３からの球が通路１２から通路１４を経由して遊技機設置設備に排出される。【選択図】        図１
2004180748.tif 000002
【特許請求の範囲】
【請求項１】
球を遊技者の側に払い出す球払出動作と遊技店の側に排出する球抜動作とをアクチュエータで行うパチンコ機の球払出装置において、アクチュエータを電気的に制御する制御装置に、球払出動作中は球抜動作を禁止する一方球払出不動作中は球抜動作を許可する選択手段を備えたことを特徴とするパチンコ機の球払出装置。
【請求項２】
アクチュエータが三叉路の交差点に配置されたスプロケットを回転駆動する１個のステップモータにより構成されたことを特徴とする請求項１記載のパチンコ機の球払出装置。
【発明の詳細な説明】
【０００１】
【発明の属する技術分野】
本発明はパチンコ機の球を遊技者の側に払い出す球払出動作と遊技店の側に排出する球抜動作とをアクチュエータで行う球払出装置に関する。
【０００２】
【従来の技術】
従来のパチンコ機の球払出装置は、パチンコ機の裏側に設けられた払出機構における三叉路の交点内に配置したスプロケットをステップモータのようなアクチュエータで一方向に回転駆動することで、三叉路における１つの通路ともう１つの通路とを使用して球をパチンコ機の裏側からパチンコ機の前側の受皿に払い出す球払出動作を行う一方、上記スプロケットをアクチュエータで他方向に回転駆動することで、上記１つの通路と上記以外の他方のもう１つの通路とを使用して球をパチンコ機の裏側から当該パチンコ機の設置されるパチンコ店の島と呼ばれるような遊技機設置設備に排出する球抜動作を行うようになっている。（例えば、特許文献１；２参照）。
【０００３】
【特許文献１】
特開２０００−２６２７００号公報（図３）
【特許文献２】
特開平１０−１５１８７号公報（第１頁、要約、図４）
【０００４】
【発明が解決しようとする課題】
しかしながら、球抜動作はパチンコ機の前側において、操作者がパチンコ機の前面に設けられた操作孔から針金のような操作棒を挿入することで、球抜レバーを仲介させて球抜スイッチを操作するか、または、球抜スイッチを直接的に操作することで、アクチュエータを球抜動作方向に回転駆動する構造になっている。このため、払出機構が賞球または貸球を払い出している球払出動作中において、例えば、遊技者が興味本位で上記操作孔に針金などの棒を挿入した場合、球抜スイッチがオン動作し、アクチュエータが球抜動作方向に回転駆動し、払出機構が球抜動作になってしまうという問題点があった。
【０００５】
そこで、本発明は、球払出動作中の球抜動作を禁止して品質信頼性を向上することができるパチンコ機の球払出装置を提供するものである。
【０００６】
【課題を解決するための手段】
本発明にあっては、球を遊技者の側に払い出す球払出動作と遊技店の側に排出する球抜動作とをアクチュエータで行うパチンコ機の球払出装置において、アクチュエータを電気的に制御する制御装置に、球払出動作中は球抜動作を禁止する一方球払出不動作中は球抜動作を許可する選択手段を備えたことによって、球払出動作中において、人がパチンコ機の前側から球抜スイッチをオン動作しても、球抜動作に移行しないので、払出動作中の球抜動作を禁止して品質信頼性を向上することができる。また、本発明にあっては、アクチュエータが三叉路の交差点に配置されたスプロケットを回転駆動する１個のステップモータにより構成されれば、球払出動作と球抜動作とを複数のアクチュエータで行う場合に比べて、１個のステップモータの回転方向を切り替えることで球払出動作と球抜動作とを切り替えることができ、球払出動作と球抜動作との切り替えを容易に行うことができる。
【０００７】
【発明の実施の形態】
図１は一実施形態に係るパチンコ機１の球払出装置を示す。図１において、パチンコ機１は裏側における制御装置２が電力供給で起動し、パチンコ機１の裏側におけるタンク３に球が貯蔵されており、パチンコ機１の裏側における払出機構４の球切れ検出器５が球を検出したオン信号を制御装置２に出力し、パチンコ機１の前側における受皿６に球が入れられた状態において、パチンコ機１の前側におけるハンドルグリップと呼ばれるような球発射操作機構７が遊技者で操作されると、その操作量に応じてパチンコ機１の内部における球発射機構８が受皿６から供給された球を１個ずつパチンコ機１の内部における遊技主体である遊技盤９の遊技領域に向けて発射する。
【０００８】
遊技盤９の遊技領域から球が当該遊技領域に配された複数の入賞部品１０のいずれかに入賞し、その入賞した球を検出した入賞球検出器１１が入賞信号を制御装置２に出力する。制御装置２は入力信号が入力ポートの位置の違いで、どの入賞部品１０に対応する入賞球検出器１１からの入賞信号であるかを識別した後、払出機構４の３つの通路１２；１３；１４からなる三叉路の交差点に配置されたスプロケット１５に連結されたステップモータのようなアクチュエータ１６を払出制御する。これによって、スプロケット１５が球払出駆動（矢印Ｘ１方向に回転駆動）するのに伴い、払出機構４が上記入賞という遊技の結果に対する賞として換金性の有る球を受皿６に払い出す。スプロケット１５は回転体の周面から回転中心方向に１個の球を収納可能に窪む複数の切欠部を周方向に等間隔を隔てて備えた球払出体である。
【０００９】
この払出機構４の球払出動作の開始に伴い、タンク３からの球が三叉路における１つの通路１２からもう１つの通路１３に移動する過程において、払出機構４の計数検出器１７が当該通路１３を通過する球を検出して計数信号を制御装置２に出力する。制御装置２は計数信号をカウントアップし、そのカウントアップした検出払出数が上記入賞に対する払い出すべき設定払出数と一致する場合に、アクチュエータ１６を停止制御する。
【００１０】
パチンコ機１の前面には球抜操作孔１８を備え、人がパチンコ機１の前側から操作棒１９を球抜操作孔１８からパチンコ機１の内部に設置された球抜スイッチ２０の釦２１を押圧操作すると、球抜スイッチ２０がオン信号を制御装置２に出力する。
【００１１】
とりわけ、本実施形態の場合、球払出動作と球抜動作とが互いにかち合わないようにすることから（球払出動作と球抜動作とが互いに同じ時期に動作しないようにすることから）、制御装置２はマイクロコンピュータがＲＯＭに格納されたプログラムで動作することで具現化される選択手段２２を備える。選択手段２２はステップ１０１がＹＥＳの場合、または、ステップ１０１がＮＯで、ステップ１０２がＮＯである場合、具体的には、アクチュエータ１６が矢印Ｘ１方向に回転駆動している場合、ＲＡＭのようなメモリに入賞に対する払い出すべき設定払出数が記憶されて残存している場合、ＲＡＭのようなメモリに台間球貸機２３からの球貸の未払いに対する払い出すべき設定貸出数が記憶されて残存している場合などの球払出動作中の場合には、選択手段２２が判定結果として球抜スイッチ２０からのオン信号を受け付けない処理を実行して選択処理を終わる。
【００１２】
また、選択手段２２はステップ１０１がＮＯで、ステップ１０２がＹＥＳである場合、つまり、アクチュエータ１６が矢印Ｘ１方向に回転駆動していない場合、ＲＡＭのようなメモリに入賞に対する払い出すべき設定払出数が記憶されて残存していない場合、ＲＡＭのようなメモリに台間球貸機２３からの球貸の未払いに対する払い出すべき設定貸出数が記憶されて残存していない場合などの球払出動作中でない場合には、選択手段２２が判定結果として球抜スイッチ２０からのオン信号を受け付ける処理を実行し、ステップ１０３において球抜動作を開始する処理を実行する。
【００１３】
この選択手段２２による球抜動作を開始する処理によって、スプロケット１５がアクチュエータ１６で球抜駆動（矢印Ｘ２方向に回転駆動）するのに伴い、タンク３からの球が払出機構４の三叉路における１つの通路１２から前記と別のもう１つの通路１４を経由して図外の遊技機設置設備に排出される。
【００１４】
本実施形態によれば、選択手段２２が払出機構４における球払出動作と球抜スイッチ２０の信号とを監視し、払出機構４のアクチュエータ１６が球払出動作中は球抜動作を行わないので、払出機構４の球払出動作中において、人がパチンコ機１の前面に設けられた球抜操作孔１８から針金のような操作棒１９を挿入し、球抜スイッチ２０がオン動作しても、払出機構４が球抜動作に移行しない。よって、払出機構４における払出動作中の球抜動作を禁止する。換言するならば、球払出動作中に球抜動作を行うことはなく、球抜動作中に球払出動作を行うことはないので、品質信頼性を向上することができる。アクチュエータ１６が三叉路の交差点に配置されたスプロケット１５を回転駆動する１個のステップモータにより構成されているので、ステップモータの正転（矢印Ｘ１方向の回転）と逆転（矢印Ｘ２方向の回転）とに駆動することで、球払出動作と球抜動作とを複数のアクチュエータで行う場合に比べて、１個のステップモータの回転方向を切り替えることで球払出動作と球抜動作とを切り替えることができ、球払出動作と球抜動作との切り替えを容易に行うことができる。
【００１５】
図示は省略するが、スプロケット１５に爪車を一緒に回転するように設け、電磁ソレノイドによるアクチュエータ１６で動作する爪が爪車に係合することで球払出を停止し、アクチュエータ１６の動作で爪が爪車から解除することで球払出を開始する一方、球がスプロケット１５に絡む部分よりも上流側（タンク３の側）で通路１２が切替通路を含む構造であって、当該切替通路が上記と別の電磁ソレノイドによるアクチュエータで動作する形態とし、このアクチュエータが球抜スイッチ２０のオン動作を契機とする制御装置２で制御すれば、同様に適用することができる。この場合、切替通路の上端部が通路１２に対して回転可能に軸で連結されており、切替通路がアクチュエータで球抜側に移動すると、切替通路の下端部が遊技機設置設備を指向し、その結果、タンク３の側の球が通路１２から切替通路を経由して遊技機設置設備に排出される。また、切替通路がアクチュエータで球払出側に移動すると、切替通路の下端部が通路１３を指向し、その結果、タンク３の側の球が通路１２から通路１４を経由して受皿６に払い出される。この場合、図１の通路１４は球が行かないように閉鎖された形態である。
【図面の簡単な説明】
【図１】一実施形態に係るパチンコ機の球払出装置を示す模式図。
【符号の説明】
１    パチンコ機
２    制御装置
４    払出機構
１２  通路
１３  通路
１４  通路
１５  スプロケット
１６  アクチュエータ
１７  計数検出器
１８  球抜操作孔
１９  操作棒
２０  球抜スイッチ
２２  選択手段
【図１】
2004180748.tif 000003